(57)【特許請求の範囲】
【請求項１】
被処理空気を加熱する加熱手段及び被処理空気を脱臭する触媒から成る触媒脱臭装置と、脱臭後の空気を外部に排気する排気通路と、前記排気通路内に配され、前記触媒脱臭装置の脱臭後の空気を排出する排気ファンを備え、軸受けにより軸支されて前記排気ファンを回転駆動するシャフトを前記排気通路壁を貫通して設け、さらに前記シャフトの前記排気通路壁の外側に位置する部分を外気に連通させると共に、前記シャフトの、排気通路壁外側から前記軸受け迄の間に、放熱用の放熱フィンを固着し、前記シャフトと共に放熱フィンを回転させる構成とした触媒脱臭装置付厨芥処理機。
【発明の詳細な説明】
【０００１】
【発明の属する技術分野】
本発明は、被処理空気を加熱する加熱手段及び被処理空気を脱臭する触媒から成る触媒脱臭装置を有する触媒脱臭装置付厨芥処理機に関するものである。
【０００２】
【従来の技術】
従来この種の触媒脱臭装置付厨芥処理機について、図４を参照しながら説明する。
【０００３】
図４において、厨芥処理機の本体２０内には厨芥が投入されるタンク２１を配し、このタンク２１の下面を略円弧状に形成している。タンク２１内には、この略円弧状の回転中心に回転軸を配した撹伴装置２２が配され、タンク２１の下方にはヒーター２３が設けられている。タンク２１上の投入扉２４よりタンク２１内に厨芥が投入され、この投入された厨芥はヒータ２３による加熱により水分が蒸発し、また、撹拌装置２２による撹拌動作により全体を均一に加熱する。タンク２１からの蒸気は触媒装置２７に流れ込み脱臭される。この触媒装置は触媒ヒー夕―２５と、この触媒ヒータ２５によって加熱される触媒２６から構成されていた。
【０００４】
触媒脱臭装置２７の排気側にはファンケース２８が設けられ、ファンケース２８内には排気ファン３２が配されている。排気ファン３２を回転駆動するシャフト３１は軸受け３０により軸支され、軸受け３０はファンケース２８上に固定された軸受けハウジング２９の内部に埋設されている。シャフト３１をモーター３３によりベルトを介して回転させると、ファンケース２８の内部に位置した排気ファン３２が回転し、タンク２１内で厨芥の水分を蒸発させた臭いを含んだ水蒸気を触媒脱臭装置２７を通過させ、脱臭後の空気を排気ダクト３４より機外に排気するものである。また軸受けハウジング２９の下端にはオイルシール３５を圧入してファンケース２８と軸受け３０部を隔離して、軸受け３０に蒸気や塵挨が侵入するのを防止している。
【０００５】
【発明が解決しようとする課題】
上記のように従来の触媒脱臭装置付厨芥処理機の構成では、触媒脱臭装置２７により高温に加熱脱臭された空気を排気ファン３２によって吸引するため、排気ファン３２が２００℃を越える高温になり、シャフト３１を伝ってオイルシ−ル３５や軸受け３０に熱伝達する。そのために耐熱性の高い軸受け３０を使用しなければならなかったり、オイルシール３５が長期の使用で熱劣化をおこしシール性能が低下をすることによってファンケース２８内の蒸気が軸受け３０に侵入し軸受け３０の耐久性を低下させるという問題を有していた。
【０００６】
本発明は、以上のような従来の課題を解決しようとするものであって、安価で耐久性の高い触媒脱臭装置付厨芥処理機を提供することを目的としている。
【０００７】
【課題を解決するための手段】
上記目的を達成するために本発明は、触媒脱臭装置で脱臭した後の空気を外部に排気する排気通路と、前記排気通路内に配され、前記触媒脱臭装置の脱臭後の空気を排出する排気ファンを備え、軸受けにより軸支されて前記排気ファンを回転駆動するシャフトを前記排気通路壁を貫通して設け、さらに前記シャフトの前記排気通路壁の外側に位置する部分を外気に連通させると共に、前記シャフトの、排気通路壁外側から前記軸受け迄の間に、放熱用の放熱フィンを固着し、前記シャフトと共に放熱フィンを回転させる構成としたもので、排気ファンの受けた高温の熱がシャフトを伝って軸受けに伝達されるまでに、シャフトの排気通路壁の外側に位置する部分を外気に連通させて冷却し、排気ファンの受けた熱を減衰して軸受けに伝達することにより、軸受けの耐熱性グレードを低くして安価で耐久性の高いものにするとともに、シ−ル性能に影響なく蒸気の影響で軸受けの耐久性を低下させることも防止できる。また、シャフトの受けた熱を放熱フィンにより外気に強制的に拡散することができ、より放熱効果を向上することができる。さらに、シャフトを回転させることにより放熱フィンも回転するので起風効果が得られ、シャフト、軸受け等の冷却をより効果的にすることができる。
【０００８】
【発明の実施の形態】
本発明の請求項１記載の発明は、被処理空気を加熱する加熱手段及び被処理空気を脱臭する触媒から成る触媒脱臭装置と、脱臭後の空気を外部に排気する排気通路と、前記排気通路内に配され、前記触媒脱臭装置の脱臭後の空気を排出する排気ファンを備え、軸受けにより軸支されて前記排気ファンを回転駆動するシャフトを前記排気通路壁を貫通して設け、さらに前記シャフトの前記排気通路壁の外側に位置する部分を外気に連通させると共に、前記シャフトの、排気通路壁外側から前記軸受け迄の間に、放熱用の放熱フィンを固着し、前記シャフトと共に放熱フィンを回転させる構成としたもので、シャフトの排気ファン部と軸受けとの間を外気に連通させシャフトを外気に触れさせることで、冷却させ排気ファンの受けた熱を減衰して軸受けに伝達することにより、軸受けの耐熱性グレードを低くして安価で耐久性の高いものにすることができる。また、シャフトの排気ファンと軸受けとの間を外気に連通させることにより、シ−ル性能が不十分でも蒸気が外気に拡散して軸受けに悪影響を与えることがないため、耐久性を低下させるという問題も解消できる。また、シャフトの受けた熱を放熱フィンにより外気に強制的に拡散することができ、より放熱効果を向上することができる。さらに、シャフトを回転させることにより放熱フィンも回転するので起風効果が得られ、シャフト、軸受け等の冷却をより効果的にすることができる。
【０００９】
【実施例】
（参考例１）
以下、本発明の第１の参考例を図１により説明する。
【００１０】
図において、１は厨芥処理機の本体で、内部に厨芥を投入するタンク２を設けている。タンク２の下面には厨芥を加熱乾燥させるためのヒータ３が配設され、また、タンク２内には内部の厨芥を撹拌するための攪拌装置４が回転自在に配されている。なお、タンク２１の形状は従来と同様に、その下部を断面円弧状とし、撹拌装置４がその円弧状に沿って厨芥をむらなく撹拌する。
【００１１】
５はタンク２の上部に配設された触媒脱臭装置で、上流側に触媒ヒーター６、下流側に触媒ヒーター６により加熱される酸化触媒７を内設している。８は触媒脱臭装置５の排気側に配した排気ファン装置で、排気ファン１３と、排気ファン１３を回転駆動するシャフト１２と、シャフトを１２を軸支する軸受け１１と、軸受け１１を内部に埋設した軸受けハウジング１０と、排気ファン１３を収容し触媒脱臭装置５の排気側に取り付けたファンケース９から構成されている。ファンケース９は排気ダクト１５につながり、排気経路の一部を構成している。
【００１２】
ファンケース９上に固定される軸受けハウジング１０の上方からシャフト１２が突出し、この突出部分にプーリー３６が取り付けられている。このプーリー３６とモーター１４の回転軸に取り付けたプーリー３８とはベルト３７が張架され、モーター１４の回転力がシャフト１２に伝達され、排気ファン１３を回転駆動するようになっている。
【００１３】
なお、ファンケース９の外壁と軸受けハウジング１０との間にはシールパッキン１６を配設しており、触媒脱臭装置５により脱臭された後の水蒸気を含んだ空気が容易にファンケース９より軸受け１１側に漏れ出るのを防止している。軸受けハウジング１０の下端部は、その外周側から軸受け１１迄の間に切り欠き部１７を設けており、軸受け１１と排気ファン１３との間に位置するシャフト１２の一部分と外気とを連通させた状態としている。
【００１４】
上記構成による作用は以下の通りである。タンク２内の厨芥が厨芥乾燥用ヒーター３により加熱され臭気を含んだ水蒸気が発生する。この水蒸気は触媒脱臭装置５の触媒ヒーター６により更に加熱され、酸化触媒７によって脱臭される。触媒脱臭装置５の排気側に位置した排気ファン１３はモーター１４によって回転させられるので、ファンケース９内に脱臭後の水蒸気を含んだ空気が吸引され、排気ダクト１５より機外に排気する。
【００１５】
このとき排気ファン１３は触媒脱臭装置５の触媒ヒーター６により加熱された空気で２００℃を越える温度となり、この熱がシャフト１２を伝って軸受け１１に伝達されるが、軸受けハウジング１０下端部は軸受け１１迄の間に切り欠き部１７を設けているため、シャフト１２が外気によって冷却され、軸受け１１には温度が減衰して伝えられることとなる。したがって、耐熱性の高い軸受け１１を使用する必要がなくなる。また、万一、シールパッキン１６のシールが破壊されて水蒸気が漏れても、軸受けハウジング１０下端部の切り欠き部１７より導入される外気によって拡散されるため、蒸気が軸受け１１に侵入して軸受け１１の耐久性を低下させることもないわけである。また、排気ファン１３による吸引力が作用することで、切り欠き部１７から外気が排気ファン１３側に流れるので、シールパッキン１６が損傷した場合で、かつ排気ファン１３が動作していると、水蒸気が軸受け１１側に流れ込むことを抑制することができる。
【００１６】
（参考例２）
次に、本発明の第２の参考例を図２を参照しながら説明する。尚、上記第１の参考例と同一構成部品については同一符号を付して、その説明を省略する。
【００１７】
軸受けハウジング１０下端部は上記第１の参考例と同様に軸受け１１迄の間に切り欠き部１７を設けており、シャフト１２の、排気ファン１３と軸受け１１との間を外気に連通し、さらに、シャフト１２の、排気ファン１３と軸受け１１との間に表面積拡大部１８を設けて表面積を大きくしたものである。尚、本参考例ではシャフト１２に複数の孔を設けているが、くぼみなどであってもよい。
【００１８】
上記構成による作用は以下の通りである。すなわち、シャフト１２の排気ファン１３部と軸受け１１部との間に表面積拡大部１８を設けたことにより、外気と接する表面積が増えるとともに、シャフト１２を回転させることによる起風効果も出てシャフト１２の冷却をより効果的にすることができる。
【００１９】
（実施例１）
次に、本発明の第１の実施例を図３を参照しながら説明する。尚、上記参考例と同一構成部品については同一符号を付して、その説明を省略する。
【００２０】
軸受けハウジング１０下端部は同様に軸受け１１迄の間に切り欠き部１７を設けており、シャフト１２の排気ファン１３と軸受け１１との間を外気に連通しており、また、シャフト１２の排気ファン１３と軸受け１１との間に放熱用の放熱フィン１９を固着したものである。
【００２１】
上記構成による作用は以下の通りである。シャフト１２の排気ファン１３と軸受け１１との間に放熱フィン１９を配設したことにより、シャフト１２の受けた熱を放熱フィン１９により外気に強制的に拡散することができ、より放熱効果を向上することができる。また、シャフト１２を回転させることによる放熱フィン１９も回転するので起風効果も出て、シャフト１２の冷却をより効果的にすることができる。
【００２２】
（参考例３）
次に、本発明の第３の参考例を説明する。図１から図３に示すシャフト１２、放熱フィン１９の少なくとも一方を銅・銅合金などの熱伝導性のよい材料で構成したものである。
【００２３】
上記構成による作用は以下の通りである。すなわち、シャフト１２、放熱フィン１９の少なくとも一方を銅・銅合金などの熱伝導性のよい材料で構成したため、シャフト１２からの放熱効果がよく、シャフト１２の冷却をより効果的にすることができる。
【００２４】
【発明の効果】
本発明の請求項１記載の発明によれば、排気ファンを回転駆動するシャフトを外気に触れさせることで、排気ファンの受けた熱を減衰してシャフトを軸支する軸受けに伝達することができ、軸受けの耐熱性グレードを低くして安価で耐久性の高いものにすることができる。また、シャフトの排気ファンと軸受けとの間を外気に連通させることにより、シ−ル性能が不十分でも蒸気が外気に拡散して軸受けに悪影響を与えることがないため、耐久性を低下させるという問題も解消できる。また、放熱用の放熱フィンを固着したことにより、外気に触れる面積が多い分冷却性能を良くすることができる。また、シャフトと共に放熱フィンを回転させることで強制的にシャフトの熱を外気に放出し、冷却効率を高めることができる。
【図面の簡単な説明】
【図１】  本発明の第１の参考例を示す厨芥処理機の断面図
【図２】  本発明の第２の参考例を示す厨芥処理機の要部斜視図
【図３】  本発明の第１の実施例を示す厨芥処理機の要部断面図
【図４】  従来の厨芥処理機の断面図
【符号の説明】
５  触媒脱臭装置
６  触媒ヒータ（加熱手段）
７  酸化触媒
９  ファンケース（排気通路）
１２  シャフト
１３  排気ファン
１７  切り欠き部
１８  表面積拡大部
１９  放熱フィン
【図１】
0003956445.tif 000002
【図２】
0003956445.tif 000003
【図３】
0003956445.tif 000004
【図４】
0003956445.tif 000005